(57)【要約】【課題】胴（１４）、クリスタル（１６）、表示ダイヤル（１８）を含むケース（１２）を備える時計を提供すること。【解決手段】クリスタル（１６）は、胴（１４）と軸方向で当接する、またガラス縁（２０）によって胴（１４）と軸方向で接して保持される外側径方向カラー（３６）を含む。ガラス縁（２０）は、カラー（３６）の上面（４６）と軸方向で当接する下方環状径方向表面（４４）を含む。本発明の１つの特徴によれば、カラー（３６）は、凸形外周表面（５２）を含み、この表面は、ガラス縁（２０）の径方向当接面（４４）の下において、対向して配置されるガラス縁（２０）の凹形内側面（５４）に対してほぼ相補的である、また軸方向の衝撃がクリスタル（１６）に加えられた場合に前記内側面（５４）と径方向で当接する。【選択図】図２
2006317447.tif 000002
【特許請求の範囲】
【請求項１】
胴（１４）、クリスタル（１６）、表示ダイヤル（１８）を含むケース（１２）を含み、前記クリスタル（１６）が、前記胴（１４）と軸方向で当接し、かつ前記胴（１４）に固定された周囲のガラス縁（２０）によって前記胴（１４）と軸方向で接して保持される外側径方向カラー（３６）を含み、前記ガラス縁（２０）が、前記カラー（３６）の上面（４６）と軸方向で当接する下方環状径方向表面（４４）と、上部から前記胴（１４）の中に軸方向に押し込まれる環状ヒール部分（３２）とを含み、前記ヒール部分（３２）の外周壁（３４）が、前記胴（１４）の外周縁（２８）の内壁（３０）と径方向で接して押されるタイプである時計（１０）であって、
前記カラー（３６）が、前記ガラス縁（２０）の前記径方向当接面（４４）の下において、対向して配置される前記ガラス縁（２０）の凹形内側面（５４）に対してほぼ相補的であり、かつ軸方向の衝撃が前記クリスタル（１６）に加えられた場合に前記内側面（５４）と径方向で当接する凸形外周表面（５２）を含み、前記ガラス縁（２０）の前記内側面（５４）が、前記ヒール部分（３２）の内壁によって形成されることを特徴とする時計。
【請求項２】
前記カラー（３６）の下部径方向面（３８）が、前記カラー（３６）の内周縁（５６）の側面上において、前記ダイヤル（１８）と前記胴（１４）の内側軸壁（４２）との間で下向きに延びる少なくとも１つの配置ラグ（５８）を含み、かつ前記ラグ（５８）と前記胴（１４）の前記内側軸壁（４２）との間の径方向距離（Ｄ１）が、前記カラー（３６）の前記外側面（５２）と前記ガラス縁（２０）の前記内側面（５４）との間の径方向距離（Ｄ２）より大きく、それにより、軸方向の衝撃がある場合、前記ラグ（５８）が前記胴（１４）の前記内側軸壁（４２）と接触する前に、前記カラー（３６）の前記外側面（５２）が、前記ガラス縁（２０）の前記内側面（５４）と径方向で当接することを特徴とする請求項１に記載の時計（１０）。
【請求項３】
前記カラー（３６）の前記外側面（５２）と前記ガラス縁（２０）の前記内側面（５４）が、相補的な台錐形の形状を有することを特徴とする請求項１または２に記載の時計（１０）。
【請求項４】
前記胴（１４）の前記外周縁（２８）の前記内壁（３０）が、下向きに大きくなる直径を有する凹形で台錐形であることを特徴とする請求項１から３のいずれか一項に記載の時計（１０）。
【請求項５】
前記ヒール部分（３２）の前記外壁（３４）が、前記ガラス縁（２０）の前記内側面（５４）によって形成される角度より小さい角度である台錐形の形状を有することを特徴とする請求項３または４に記載の時計（１０）。
【請求項６】
前記ヒール部分（３２）の自由下方端部が、前記胴（１４）に構成される関連担持面（６２）と軸方向で当接することを特徴とする請求項４または５に記載の時計（１０）。
【請求項７】
前記胴（１４）が、前記ガラス縁（２０）の前記径方向当接面（４４）と軸方向で位置合わせされた環状径方向担持面（４０）を含み、前記カラー（３６）が、前記２つの表面（４０、４４）の間で軸方向に把持されて保持され、かつ、前記径方向担持面（４０）が、前記胴（１４）の前記内側軸壁（４２）によって内向きの境界を定められていることを特徴とする請求項１から６のいずれか一項に記載の時計（１０）。
【請求項８】
前記胴（１４）が、前記径方向担持面（４０）と前記外周縁（２８）との間に挿入され、また前記胴（１４）と前記カラー（３６）との間で圧縮された封止ガスケット（５０）を受ける環状溝（４８）を含むことを特徴とする請求項７に記載の時計（１０）。
【請求項９】
前記クリスタル（１６）の外側面が、全体的に凸形な半球形を有することを特徴とする請求項１から８のいずれか一項に記載の時計（１０）。
【請求項１０】
前記ケース（１２）が、アナログ表示手段（２４）をはめ込まれた時計ムーブメント（２２）を含むことを特徴とする請求項１から９のいずれか一項に記載の時計（１０）。
【発明の詳細な説明】
【技術分野】
【０００１】
本発明は、胴と、周囲のガラス縁によって胴に固定されたクリスタルとがはめ込まれたケースを含む時計に関する。
【０００２】
本発明は、より具体的には、胴、クリスタル、表示ダイヤルを備えるケースを含む時計に関する。時計は、胴と軸方向で当接し、胴に固定される周囲のガラス縁によって胴と軸方向で接して保持される外側径方向カラーをクリスタルが含み、ガラス縁が、カラーの上面と軸方向で当接する下方環状径方向表面を含むタイプである。
【背景技術】
【０００３】
クリスタルがガラス縁によって胴に固定される時計が、すでに知られている。たとえば、米国特許第３６８８４９２号は、胴の上面に形成された溝の中にガラス縁を押し込むことによって胴に固定される平坦クリスタルを含む時計を開示し、示している。ガラス縁は、クリスタルの径方向カラーの上部径方向面と軸方向で当接し、胴に押し付けて保持する内部ショルダを含む。
【０００４】
このタイプの時計では、クリスタルがテーブルの高さから落ちたときなど、軸方向の衝撃がクリスタルに加えられたとき、クリスタルの平坦な外部面のために、応力が軸方向で主に加えられる。したがって、応力が、胴と軸方向に当接するクリスタルの表面で、胴によって軸方向に生じる。したがって、クリスタルは、主に軸方向圧縮が作用され、湾曲を受けない。
【０００５】
時計が凸形半球形のクリスタルを備える場合、これは当てはまらない。実際、軸方向の衝撃は、クリスタルの胴に加えられ、それにより、クリスタルは著しく変形し、胴が湾曲して壊れる傾向があり、一方、クリスタルのカラーは外向きに移動する傾向がある。
【０００６】
クリスタルのこれらの変形により、亀裂、または破損さえ生じることがある。そのような亀裂は、具体的には、クリスタルの胴が時計の表示針の軸の端部と接触することによる、またはクリスタルを形成する材料の内部応力によることがある。
【０００７】
上述の文献では、クリスタルの胴に局在する軸方向の応力により、カラーが径方向外側に移動した場合、クリスタルは、ガラス縁の上端部セクションに当接し、これにより、機械的抵抗には有害であるねじれ応力が加えられる。さらに、ガラス縁は、内部縁を介してケースの内側に向かって押し込まれるので、ねじれ応力は、ガラス縁が分解される方向で加えられ、クリスタルを分解する著しい危険性がある。
【特許文献１】米国特許第３６８８４９２号
【発明の開示】
【発明が解決しようとする課題】
【０００８】
本発明の目的は、簡単かつ経済的な方式でこれらの欠点を排除することである。
【課題を解決するための手段】
【０００９】
そのために、本発明は、カラーが、ガラス縁の径方向当接面の下において、対向して配置されるガラス縁の凹形内側面に対してほぼ相補的であり、かつ軸方向の衝撃がクリスタルに加えられた場合に前記内側面と径方向で当接する凸形外周表面を含むことを特徴とする、先に記述されたタイプの時計を提案する。
【００１０】
本発明による構成により、軸方向で衝撃がある場合、湾曲応力が減少し、これにより、亀裂の危険性が低下する。したがって、本発明による時計のクリスタルは、耐衝撃性を改善した。
【００１１】
さらに、ガラス縁を組み立てる前に、胴に対してクリスタルを適切に配置するために、クリスタルカラーの上に事前中心配置手段を設けることが、一般に必要である。そうでない場合、クリスタルがガラス縁によって損傷される危険性があり、または、ガラス縁を組み立てることが不可能である。これらの事前中心配置手段は、軸方向の衝撃によって生じる著しい変形のために、クリスタルが時期尚早に破損する原因となることがある。
【００１２】
この問題を克服するために、本発明の有利な特徴によれば、カラーの内周縁の側面において、カラーの底部径方向面が、ダイヤルと胴の内部軸方向壁との間で下向きに延びる少なくとも１つの配置ラグを含み、ラグと胴の内側軸壁との間の軸方向距離は、カラーの外側面とガラス縁の内側面との間の径方向距離より大きく、それにより、軸方向で衝撃がある場合、カラーの外側面は、ラグが胴の内部軸方向壁と接触する前に、ガラス縁の内側面と径方向で当接する。
【００１３】
本発明の他の特徴によれば、カラーの外側面とガラス縁の内側面は、相補的な台錐形の形態を有する。
【００１４】
これらの形態により、最適な耐衝撃性を得ることが可能になる。
【００１５】
本発明の他の特徴によれば、胴は、下向きに大きくなる直径を有するほぼ台錐形の凹形の内壁を備える外周縁を含み、ガラス縁は、ヒール部分の外周壁が縁の内壁に接して径方向に押されるように、上部から下向きに胴の中に軸方向に押し込まれる環状ヒール部分を含み、ガラス縁の内側面は、そのヒール部分の内壁によって形成される。
【００１６】
この特徴により、クリスタルによってガラス縁の内側面に加えられる応力を胴が担持することが可能になる。
【００１７】
本発明の他の特徴によれば、ヒール部分の外壁は、ガラス縁の内側面によって形成される角度より小さい角度である台錐形の形状を有する。
【００１８】
この特徴は、クリスタルに過剰に負荷をかけるあらゆる危険性を有さずに、ガラス縁を胴の中に押し込むことができることを意味する。
【００１９】
本発明の他の特徴および利点は、非限定的な例として与えられる以下の詳細な記述を添付の図面を参照して読むことにより、より明確に明らかになるであろう。
【発明を実施するための最良の形態】
【００２０】
図１は、本発明の教示により作製される時計１０を示す。
【００２１】
時計１０は、胴１４、クリスタル１６、表示ダイヤル１８を含むケース１２を含む。ケース１２には、周囲のガラス縁２０もはめ込まれ、ガラス縁は、胴１４に対して軸方向でクリスタル１６を保持するように胴１４にスナップばめされる。
【００２２】
クリスタル１６の外側面は、この図では、全体的に凸形の半球形を有する。
【００２３】
ケース１２は、この図では全体的に円筒形であり、時計ムーブメント２２を含む。時計ムーブメント２２がダイヤル１８の下に配置され、この図では、中央垂直軸Ａ１の回りに回転可能に取り付けられた針２４によって形成されたアナログ表示手段２４を制御する。
【００２４】
以下の記述では、この図ではケース１２の軸に対応する針２４の軸Ｓ１に沿った垂直配向が非限定的に使用される。
【００２５】
この図で示される実施形態によれば、アナログ表示手段２４の中央突出部分２６が、秒針を担持する秒車軸の端部２６によって形成される。
【００２６】
当然、代替実施形態（図示せず）によれば、突出部分２６は、固定中央ラグなどの他の要素、または針の中間部によって形成することができる。
【００２７】
具体的には図２、３において図示されるように、胴１４は、下向きに大きくなる直径を有する凹形のほぼ台錐形の内壁３０を形成している外周縁２８を含む。
【００２８】
ガラス縁２０は、下方環状ヒール部分３２を含み、これは、そのラグ３２の外周壁３４が縁２８の内壁３０に接して径方向に押されるように、上部から下向きに胴１４の中に押し込まれている。
【００２９】
クリスタル１６は、下部径方向面３８を介して、胴１４の環状径方向担持面４０と軸方向で当接する外側径方向カラー３６を含む。この径方向担持面４０は、胴１４の内側軸壁４２によって内側に向う境界となっている。
【００３０】
ガラス縁２０は、カラー３６の上面４６と軸方向で当接する下方環状径方向表面４４を含み、これにより、クリスタル１６を胴１４に接して軸方向で保持するために、ガラス縁２０の径方向表面４４と胴１４の径方向担持面４０との間でカラー３６を固定することができる。
【００３１】
径方向当接面４４は、ヒール部分３２の上に位置するガラス縁２０の１つの部分に配置される。
【００３２】
径方向担持面４０は、ガラス縁２０の径方向当接面４４と軸方向でほぼ位置合わせされることが好ましい。
【００３３】
ここで示される実施形態によれば、胴１４は環状溝４８を含み、環状溝４８は、径方向担持面４０と外周縁２８と間で径方向に設けられ、環状「Ｏリング」タイプの封止ガスケット５０を受ける。封止ガスケット５０は、胴１４とカラー３６の下部径方向面３８との間で圧縮される。
【００３４】
本発明の教示によれば、カラー３６は、凸形外周表面５２を含み、これは、ガラス縁２０の下方径方向当接面４４の下において、対向して配置されるガラス縁２０の凹形内側面５４に対してほぼ相補的である、また軸方向の衝撃がクリスタル１６に加えられた場合に前記内側面５４と径方向で当接する。
【００３５】
図２に示されるように、静止時、径方向遊びＤ２が、カラー３６の外側面５２とガラス縁２０の内側面５４との間に構成される。
【００３６】
他の実施形態によれば、この径方向遊びＤ２は、ゼロとすることができ、これは、図３に示されるように軸方向で衝撃がある場合である。
【００３７】
カラー３６の下部径方向面３８は、カラー３６の内周縁５６の側に、下向きに延びる少なくとも１つの配置ラグ５８を含む。さらに、ラグ５８と胴１４の内側軸壁４２との間の径方向距離Ｄ１は、カラー３６の外側面５２とガラス縁２０の内側面５４との間の径方向距離Ｄ２より大きい。
【００３８】
クリスタル１６は、規則的な形で角的に分布するいくつかのラグ５８を含むことが好ましい。これらのラグ５８は、それぞれ、全体的に台錐形ピンの形状を有し、クリスタル１６が、ガラス縁２０を組み立てる前にケース１２に取り付けられるとき、クリスタル１６を胴１４に対して事前に中心配置するように、摺動によって、胴１４の隣接縁および／またはダイヤル１８の外周縁６０と共動するように設けられる。
【００３９】
ラグ５８は、ラグが、ダイヤル１８の外周縁６０において構成されるノッチと関連付けられるとき、ダイヤル１８に対して角度の付いた指標クリスタル１６とすることもできることに留意されたい。
【００４０】
またカラー３６の外側面５２とガラス縁２０の内側面５４は、クリスタル１６に対して軸方向の衝撃がある場合、機械的応力がより良好に分布するように、相補的な台錐形の形状を有することが好ましい。これらの台錐形の面の直径は、下向きに大きくなる。
【００４１】
ガラス縁２０の内側面５４は、ヒール部分３２の内壁によって形成される。
【００４２】
ヒール部分３２の外壁３４は、ヒール部分３２の内側面５４によって形成される角度より小さい角度を軸Ａ１に対して形成する台錐形の形状を有することが有利である。この特徴により、ガラス縁２０が胴１４の中に押し込まれるとき、クリスタル１６に応力をかけることが回避される。
【００４３】
胴１４は、ここでは、環状溝４８と縁２８の内壁３０との間に挿入される環状径方向表面６２を含む。ガラス縁２０が胴１４の中に押し込まれた後、ヒール部分３２は、自由下方端部を介してこの径方向表面６２と軸方向で当接するように設けられ、やはりこれにより、押し込み動作が完了した後、クリスタル１６に過負荷をかけることが回避される。
【００４４】
ここで示される実施形態によれば、ラグ５８は、ダイヤル１８の上面６６と軸方向で当接する環状内側部分６４がカラー３６の下部径方向面３８における境界となっているカラー３６の内周縁５６に対して、径方向外向きにわずかにずれている。
【００４５】
ここで、軸方向の衝撃がクリスタル１６に加えられたときの時計１０の挙動について説明する。
【００４６】
図１、２では、時計１０は静止状態にあり、クリスタル１６は変形していない。
【００４７】
図３では、軸方向の衝撃が、上部から下向きにクリスタル１６の上に加えられる。
【００４８】
クリスタル１６の胴は、下向きに変形され、突出している中央部２６により近く移動する傾向がある。この変形により、カラー３６は、その外側面５２がガラス縁２０の内側面５４と径方向で当接するまで、径方向外向きに摺動する。
【００４９】
この段階において、衝撃による機械的応力は、当接ゾーンに応じて、クリスタル１６の材料に分配される。
【００５０】
有利には、クリスタル１６の内部応力は、ガラス縁２０に接するクリスタル１６の径方向の当接において、ガラス縁２０によってもたらされるときに最小限に抑えられ、これにより、胴内でクリスタル１６の湾曲を限定するように、クリスタル１６の胴１４への当接を固定する。
【００５１】
本発明による構成により、カラー３６の径方向摺動は、ラグ５８が胴１４と接触する前に停止し、これにより、クリスタル１６が破損する危険性が低減される。さらに、カラー３６の径方向摺動が停止されることにより、クリスタル１６の胴が中央突出部分２６に向かって移動することが限定され、やはりこれにより、クリスタル１６が破損する危険性が低減される。
【図面の簡単な説明】
【００５２】
【図１】本発明の教示による時計を概略的に示す軸方向断面図である。
【図２】静止している時計の外周部分を概略的に示す図１の１つの詳細の拡大図である。
【図３】軸方向で衝撃がある間の時計の周囲部分を示す図２と同様の図である。
【符号の説明】
【００５３】
１０  時計、１２  ケース、１４  胴、１６  クリスタル、１８  表示ダイヤル、２０  ガラス縁、２６  中央突出部分、２８  外周縁、３０  内壁、３２  ヒール部分、３４  外周壁、３６  外側径方向カラー、３８  下部径方向面、４０  環状径方向担持面、４２  内側軸壁、４４  下方環状径方向表面、４６  上面、５８  ラグ
【図１】
2006317447.tif 000003
【図２】
2006317447.tif 000004
【図３】
2006317447.tif 000005